【手続補正書】
【提出日】平成21年3月16日(2009.3.16)
【手続補正１】
【補正対象書類名】特許請求の範囲
【補正対象項目名】全文
【補正方法】変更
【補正の内容】
【特許請求の範囲】
【請求項１】
Ｎ個のオーディオ信号をＭ個のオーディオ信号及び関連するパラメトリックデータに符号化する多チャンネルオーディオエンコーダであって、Ｍ及びＮが整数であると共に、Ｎ＞Ｍ及びＭ≧１であるような多チャンネルオーディオエンコーダにおいて、
−  前記Ｎ個のオーディオ信号を前記Ｍ個のオーディオ信号及び第１の関連するパラメトリックデータに符号化する第１ユニットであって、前記Ｍ個のオーディオ信号及び前記第１の関連するパラメトリックデータが前記Ｎ個のオーディオ信号を表すような第１ユニットと、
−  前記第１ユニットに結合されると共に、前記Ｍ個のオーディオ信号から該Ｍ個のオーディオ信号を表す第２の関連するパラメトリックデータを発生するように構成された第２ユニットであって、該第２の関連するパラメトリックデータは、Ｋ個の他のオーディオ信号から前記Ｍ個のオーディオ信号の再生を可能にする修正パラメータを有し、前記Ｋ個の他のオーディオ信号は、前記Ｍ個のオーディオ信号以外の、前記Ｎ個のオーディオ信号の代替的なダウンミックスである、第２ユニットと、
を有し、前記関連するパラメトリックデータが前記第１及び第２の関連するパラメトリックデータを有するような多チャンネルオーディオエンコーダ。
【請求項２】
請求項１に記載の多チャンネルオーディオエンコーダにおいて、前記第２ユニットが、前記第２の関連するパラメトリックデータを該第２の関連するパラメトリックデータが前記Ｍ個のオーディオ信号の特性を表すように発生するよう構成されているような多チャンネルオーディオエンコーダ。
【請求項３】
請求項１に記載の多チャンネルオーディオエンコーダにおいて、前記第２ユニットが、前記Ｍ個のオーディオ信号及び前記Ｋ個の他のオーディオ信号から前記第２の関連するパラメトリックデータを前記修正パラメータが前記Ｍ個のオーディオ信号と前記Ｋ個の他のオーディオ信号との間の差を表すように発生するよう構成されているような多チャンネルオーディオエンコーダ。
【請求項４】
請求項１に記載の多チャンネルオーディオエンコーダにおいて、前記第２ユニットが、前記第２の関連するパラメトリックデータを前記修正パラメータが前記Ｍ個のオーディオ信号の特性又は前記Ｍ個のオーディオ信号の特性と前記Ｋ個の他のオーディオ信号の特性との間の差を有するように発生するよう構成されているような多チャンネルオーディオエンコーダ。
【請求項５】
請求項２に記載の多チャンネルオーディオエンコーダにおいて、前記第２ユニットが、前記第２の関連するパラメトリックデータを前記特性が、
−  前記オーディオ信号の少なくとも一部のエネルギ又はパワー値、又は
−  前記オーディオ信号の少なくとも一部の相関値、又は
−  前記オーディオ信号の少なくとも一部のエネルギ値又はパワー値の間の比、
を有するように発生するよう構成されているような多チャンネルオーディオエンコーダ。
【請求項６】
Ｋ個のオーディオ信号及び関連するパラメトリックデータをＮ個のオーディオ信号に復号する多チャンネルオーディオデコーダであって、Ｋ及びＮが整数であると共に、Ｎ＞Ｋ及びＫ≧１であり、前記Ｋ個のオーディオ信号及び前記関連するパラメトリックデータが前記Ｎ個のオーディオ信号を表すような多チャンネルオーディオデコーダにおいて、
−  Ｍ個の他のオーディオ信号を前記Ｋ個のオーディオ信号及び前記関連するパラメトリックデータの少なくとも第１部分から再生する第１ユニットであって、前記関連するパラメトリックデータの少なくとも第１部分は、前記Ｍ個の他のオーディオ信号を前記Ｋ個のオーディオ信号から再生するのを可能にする修正パラメータを有し、前記Ｍ個の他のオーディオ信号は、前記Ｋ個の他のオーディオ信号以外の、前記Ｎ個のオーディオ信号の代替的なダウンミックスであり、Ｍが整数であると共にＭ≧１であり、前記関連するパラメトリックデータの前記第１部分が前記Ｍ個の他のオーディオ信号を表すような第１ユニットと、
−  前記第１ユニットに結合されると共に、前記Ｍ個の他のオーディオ信号及び前記関連するパラメトリックデータの少なくとも第２部分を前記Ｎ個のオーディオ信号に復号するように構成され、前記Ｍ個の他のオーディオ信号及び前記関連するパラメトリックデータの前記第２部分が前記Ｎ個のオーディオ信号を表すような第２ユニットと、
を有する多チャンネルオーディオデコーダ。
【請求項７】
請求項６に記載の多チャンネルオーディオデコーダにおいて、前記関連するパラメトリックデータの前記第１部分が前記Ｍ個の他のオーディオ信号の特性を表すような多チャンネルオーディオデコーダ。
【請求項８】
請求項６に記載の多チャンネルオーディオデコーダにおいて、前記修正パラメータが、前記Ｍ個の他のオーディオ信号の特性又は前記Ｍ個の他のオーディオ信号の特性と前記Ｋ個のオーディオ信号の特性との間の差を有するような多チャンネルオーディオデコーダ。
【請求項９】
請求項６に記載の多チャンネルオーディオデコーダにおいて、前記第１ユニットは前記Ｋ個のオーディオ信号から該Ｋ個のオーディオ信号を表す他の修正パラメータを発生するように構成され、前記第１ユニットが、更に、前記Ｍ個の他のオーディオ信号を前記Ｋ個のオーディオ信号及び前記関連するパラメトリックデータの前記第１部分に含まれる前記修正パラメータ並びに前記他の修正パラメータから再生するように構成されているような多チャンネルオーディオデコーダ。
【請求項１０】
請求項９に記載の多チャンネルオーディオデコーダにおいて、前記修正パラメータは前記Ｍ個の他のオーディオ信号の特性を有し、前記他の修正パラメータは前記Ｋ個のオーディオ信号の特性を有し、前記第１ユニットが、前記Ｍ個の他のオーディオ信号を前記Ｋ個のオーディオ信号、及び前記Ｍ個の他のオーディオ信号の特性と前記Ｋ個のオーディオ信号の特性との間の差から再生するよう構成されている多チャンネルオーディオデコーダ。
【請求項１１】
請求項７に記載の多チャンネルオーディオデコーダにおいて、前記特性が、
−  前記オーディオ信号の少なくとも一部のエネルギ又はパワー値、又は
−  前記オーディオ信号の少なくとも一部の相関値、又は
−  前記オーディオ信号の少なくとも一部のエネルギ値又はパワー値の間の比、
を有するような多チャンネルオーディオデコーダ。
【請求項１２】
Ｎ個のオーディオ信号をＭ個のオーディオ信号及び関連するパラメトリックデータに符号化する方法であって、Ｍ及びＮが整数であると共に、Ｎ＞Ｍ及びＭ≧１であるような方法において、
−  前記Ｎ個のオーディオ信号を前記Ｍ個のオーディオ信号及び第１の関連するパラメトリックデータに符号化するステップであって、前記Ｍ個のオーディオ信号及び前記第１の関連するパラメトリックデータが前記Ｎ個のオーディオ信号を表すようなステップと、
−  前記Ｍ個のオーディオ信号から該Ｍ個のオーディオ信号を表す第２の関連するパラメトリックデータを発生するステップであって、該第２の関連するパラメトリックデータは、Ｋ個の他のオーディオ信号から前記Ｍ個のオーディオ信号の再生を可能にする修正パラメータを有し、前記Ｋ個の他のオーディオ信号は、前記Ｍ個のオーディオ信号以外の、前記Ｎ個のオーディオ信号の代替的なダウンミックスである、ステップと、
を有し、前記関連するパラメトリックデータが前記第１及び第２の関連するパラメトリックデータを有するような方法。
【請求項１３】
Ｋ個のオーディオ信号及び関連するパラメトリックデータをＮ個のオーディオ信号に復号する方法であって、Ｋ及びＮが整数であると共に、Ｎ＞Ｋ及びＫ≧１であり、前記Ｋ個のオーディオ信号及び前記関連するパラメトリックデータが前記Ｎ個のオーディオ信号を表すような方法において、
−  Ｍ個の他のオーディオ信号を前記Ｋ個のオーディオ信号及び前記関連するパラメトリックデータの少なくとも第１部分から再生するステップであって、前記関連するパラメトリックデータの少なくとも第１部分は、前記Ｍ個の他のオーディオ信号を前記Ｋ個のオーディオ信号から再生するのを可能にする修正パラメータを有し、前記Ｍ個の他のオーディオ信号は、前記Ｋ個の他のオーディオ信号以外の、前記Ｎ個のオーディオ信号の代替的なダウンミックスであり、Ｍが整数であると共にＭ≧１であり、前記関連するパラメトリックデータの前記第１部分が前記Ｍ個の他のオーディオ信号を表すようなステップと、
−  前記Ｍ個の他のオーディオ信号及び前記関連するパラメトリックデータの少なくとも第２部分を前記Ｎ個のオーディオ信号に復号するステップであって、前記Ｍ個の他のオーディオ信号及び前記関連するパラメトリックデータの前記第２部分が前記Ｎ個のオーディオ信号を表すようなステップと、
を有するような方法。
【請求項１４】
Ｋ個のオーディオ信号及び関連するパラメトリックデータを有する符号化された多チャンネルオーディオ信号が記憶された記憶媒体であって、前記Ｋ個のオーディオ信号及び前記関連するパラメトリックデータはＮ個のオーディオ信号を表し、Ｋ及びＮは整数であって、Ｎ＞Ｋ及びＫ≧１であり、前記関連するパラメトリックデータは第１部分及び第２部分を有し、前記関連するパラメトリックデータの前記第１部分はＭ個の他のオーディオ信号を表し且つ前記関連するパラメトリックデータの前記第１部分は、前記Ｍ個の他のオーディオ信号を前記Ｋ個のオーディオ信号から再生するのを可能にする修正パラメータを有し、前記Ｍ個の他のオーディオ信号は、前記Ｋ個の他のオーディオ信号以外の、前記Ｎ個のオーディオ信号の代替的なダウンミックスであり、ここで、Ｍは整数であって、Ｍ≧１であり、前記Ｍ個の他のオーディオ信号及び前記関連するパラメトリックデータの前記第２部分が前記Ｎ個のオーディオ信号を表すような符号化された多チャンネルオーディオ信号が記憶された記憶媒体。
【請求項１５】
符号化された多チャンネルオーディオ信号を伝送チャンネルを介して受信機に送信する送信機を有するような伝送システムであって、前記送信機はＮ個のオーディオ信号をＭ個のオーディオ信号及び関連するパラメトリックデータに符号化する請求項１に記載の多チャンネルオーディオエンコーダを有し、該送信機は前記Ｋ個の他のオーディオ信号及び前記関連するパラメトリックデータを前記伝送チャンネルを介して前記受信機に送信する手段を更に有し、前記受信機は前記Ｋ個の他のオーディオ信号及び前記関連するパラメトリックデータを受信する手段を有し、該受信機が前記Ｋ個の他のオーディオ信号及び前記関連するパラメトリックデータを前記Ｎ個のオーディオ信号に復号する請求項６に記載の多チャンネルオーディオデコーダを更に有するような伝送システム。
【請求項１６】
符号化された多チャンネルオーディオ信号を送信する送信機であって、該送信機はＮ個のオーディオ信号をＭ個のオーディオ信号及び関連するパラメトリックデータに符号化する請求項１に記載の多チャンネルオーディオエンコーダを有し、該送信機が前記Ｋ個の他のオーディオ信号及び前記関連するパラメトリックデータを送信する手段を更に有するような送信機。
【請求項１７】
符号化された多チャンネルオーディオ信号を受信する受信機であって、該受信機はＫ個のオーディオ信号及び関連するパラメトリックデータを受信する手段を有し、該受信機が前記Ｋ個のオーディオ信号及び前記関連するパラメトリックデータをＮ個のオーディオ信号に復号する請求項６に記載の多チャンネルオーディオデコーダを更に有するような受信機。
【請求項１８】
符号化された多チャンネルオーディオ信号を送信及び受信する方法であって、該方法はＮ個のオーディオ信号をＭ個のオーディオ信号及び関連するパラメトリックデータに符号化するステップであって、Ｍ及びＮが整数であると共に、Ｎ＞Ｍ及びＭ≧１であるようなステップを有し、該符号化するステップは、
−  前記Ｎ個のオーディオ信号を前記Ｍ個のオーディオ信号及び第１の関連するパラメトリックデータに符号化するステップであって、前記Ｍ個のオーディオ信号及び前記第１の関連するパラメトリックデータが前記Ｎ個のオーディオ信号を表すようなステップと、
−  前記Ｍ個のオーディオ信号から該Ｍ個のオーディオ信号を表す第２の関連するパラメトリックデータを発生するステップであって、該第２の関連するパラメトリックデータは、Ｋ個の他のオーディオ信号から前記Ｍ個のオーディオ信号の再生を可能にする修正パラメータを有し、前記Ｋ個の他のオーディオ信号は、前記Ｍ個のオーディオ信号以外の、前記Ｎ個のオーディオ信号の代替的なダウンミックスである、ステップと、
を有し、前記関連するパラメトリックデータが前記第１及び第２の関連するパラメトリックデータを有し、
当該方法は、前記Ｋ個のオーディオ信号及び関連するパラメトリックデータを送信及び受信するステップ及び前記Ｋ個のオーディオ信号及び前記関連するパラメトリックデータを前記Ｎ個のオーディオ信号に復号するステップを更に有し、該復号するステップが、
−  Ｍ個の他のオーディオ信号を前記Ｋ個のオーディオ信号及び前記関連するパラメトリックデータの少なくとも第１部分から再生するステップであって、前記関連するパラメトリックデータの前記第１部分が前記Ｍ個の他のオーディオ信号を表すとともに前記修正パラメータを有するようなステップと、
−  前記Ｍ個の他のオーディオ信号及び前記関連するパラメトリックデータの少なくとも第２部分を前記Ｎ個のオーディオ信号に復号するステップであって、前記Ｍ個の他のオーディオ信号及び前記関連するパラメトリックデータの前記第２部分が前記Ｎ個のオーディオ信号を表すようなステップと、
を有するような方法。
【請求項１９】
符号化された多チャンネルオーディオ信号を送信する方法であって、該方法はＮ個のオーディオ信号をＭ個のオーディオ信号及び関連するパラメトリックデータに符号化するステップであって、Ｍ及びＮが整数であると共に、Ｎ＞Ｍ及びＭ≧１であるようなステップを有し、該符号化するステップが、
−  前記Ｎ個のオーディオ信号を前記Ｍ個のオーディオ信号及び第１の関連するパラメトリックデータに符号化するステップであって、前記Ｍ個のオーディオ信号及び前記第１の関連するパラメトリックデータが前記Ｎ個のオーディオ信号を表すようなステップと、
−  前記Ｍ個のオーディオ信号から該Ｍ個のオーディオ信号を表す第２の関連するパラメトリックデータを発生するステップであって、該第２の関連するパラメトリックデータは、Ｋ個の他のオーディオ信号から前記Ｍ個のオーディオ信号の再生を可能にする修正パラメータを有し、前記Ｋ個の他のオーディオ信号は、前記Ｍ個のオーディオ信号以外の、前記Ｎ個のオーディオ信号の代替的なダウンミックスである、ステップと、
を有し、前記関連するパラメトリックデータが前記第１及び第２の関連するパラメトリックデータを有し、
当該方法が、前記Ｋ個の他のオーディオ信号及び前記関連するパラメトリックデータを送信するステップを更に有するような方法。
【請求項２０】
符号化された多チャンネルオーディオ信号を受信する方法であって、該方法はＫ個のオーディオ信号及び関連するパラメトリックデータを受信するステップ及び前記Ｋ個のオーディオ信号及び前記関連するパラメトリックデータをＮ個のオーディオ信号に復号するステップを有し、Ｋ及びＮが整数であると共に、Ｎ＞Ｋ及びＫ≧１であり、前記Ｋ個のオーディオ信号及び前記関連するパラメトリックデータが前記Ｎ個のオーディオ信号を表し、前記復号するステップが、
−  Ｍ個の他のオーディオ信号を前記Ｋ個のオーディオ信号及び前記関連するパラメトリックデータの少なくとも第１部分から再生するステップであって、前記関連するパラメトリックデータの少なくとも第１部分は、前記Ｍ個の他のオーディオ信号を前記Ｋ個のオーディオ信号から再生するのを可能にする修正パラメータを有し、前記Ｍ個の他のオーディオ信号は、前記Ｋ個の他のオーディオ信号以外の、前記Ｎ個のオーディオ信号の代替的なダウンミックスであり、Ｍが整数であると共にＭ≧１であり、前記関連するパラメトリックデータの前記第１部分が前記Ｍ個の他のオーディオ信号を表すようなステップと、
−  前記Ｍ個の他のオーディオ信号及び前記関連するパラメトリックデータの少なくとも第２部分を前記Ｎ個のオーディオ信号に復号するステップであって、前記Ｍ個の他のオーディオ信号及び前記関連するパラメトリックデータの前記第２部分が前記Ｎ個のオーディオ信号を表すようなステップと、
を有するような方法。
【請求項２１】
請求項６に記載の多チャンネルオーディオデコーダを有する多チャンネルオーディオプレーヤ。
【請求項２２】
請求項１に記載の多チャンネルオーディオエンコーダを有する多チャンネルオーディオレコーダ。
【請求項２３】
プロセッサに請求項１２、１３、１８、１９及び２０の何れか一項に記載の方法のステップを実行させるコンピュータプログラム。
【手続補正２】
【補正対象書類名】明細書
【補正対象項目名】０００７
【補正方法】変更
【補正の内容】
【０００７】
この目的は、
−  Ｎ個のオーディオ信号をＭ個のオーディオ信号及び第１の関連するパラメトリックデータに符号化する第１ユニットであって、上記Ｍ個のオーディオ信号及び第１の関連するパラメトリックデータが上記Ｎ個のオーディオ信号を表すような第１ユニットと、
−  上記第１ユニットに結合され、上記Ｍ個のオーディオ信号から該Ｍ個のオーディオ信号を表す第２の関連するパラメトリックデータを発生するように構成された第２ユニットであって、該第２の関連するパラメトリックデータは、Ｋ個の他のオーディオ信号から前記Ｍ個のオーディオ信号の再生を可能にする修正パラメータを有し、前記Ｋ個の他のオーディオ信号は、前記Ｍ個のオーディオ信号以外の、前記Ｎ個のオーディオ信号の代替的なダウンミックスである、第２ユニットと、
を有し、前記関連するパラメトリックデータが上記第１及び第２のパラメトリックデータを有するような本発明による多チャンネルオーディオエンコーダにおいて達成される。
【手続補正３】
【補正対象書類名】明細書
【補正対象項目名】０００９
【補正方法】変更
【補正の内容】
【０００９】
前記第２ユニットは第２の関連するパラメトリックデータを、該第２の関連するパラメトリックデータがＫ個の他のオーディオ信号からのＭ個のオーディオ信号の再生を可能にするような修正パラメータを有するように発生するよう構成される。この様にして、デコーダは上記空間ダウンミックスの更に一層良好な再生を実行することができる。このような再生は、アーティスティックダウンミックス等の代替ダウンミックス、即ち上記Ｋ個の他のオーディオ信号に基づいて実行することができる。デコーダは、上記修正パラメータを上記代替ダウンミックスに、該代替ダウンミックスが空間ダウンミックスに更に一層似るように適用することができる。